(57)【要約】【課題】チューニングを変更することなく、他のトランスポートストリームの映像・音声データの再生を可能とするデジタル放送装置、及びデジタル放送受信装置を得る。【解決手段】デジタル放送装置１０は、他のトランスポートストリームに多重化される映像・音声等データを自局のトランスポートストリームに多重化する符号化データよりも高い圧縮率で圧縮し、その高圧縮符号化データを自局のトランスポートストリームに多重化する。受信機２０は、受信したデジタル放送信号から所望トランスポートストリームをチューナー２２で選択し、選択したトランスポートストリームを復調する復調部して映像・音声等データ、電子番組情報、及び高圧縮符号化データを分離化部２４にて分離する。【選択図】        図１
2005012552.tif 000002
【特許請求の範囲】
【請求項１】
映像・音声データを含む放送用データを符号化し、符号化データを出力するエンコード部と、
デジタル放送受信装置において電子番組表を表示するための電子番組情報を生成する番組情報生成部と、
上記符号化データ及び上記電子番組情報を多重化してトランスポートストリームを生成する多重化部と、
上記トランスポートストリームを変調する変調部とを備えたデジタル放送装置であって、
他のトランスポートストリームで提供される映像・音声データを含む放送用データを上記符号化データよりも高い圧縮率で圧縮し高圧縮符号化データを出力する高圧縮トランスコード部を備え、
上記多重化部は、上記高圧縮符号化データを上記トランスポートストリームに多重化することを特徴とするデジタル放送装置。
【請求項２】
多重化部は、高圧縮符号化データに含まれる各番組が、どのトランスポートストリームに含まれるものであるかを示す高圧縮データ情報をトランスポートストリームに多重化することを特徴とする請求項１記載のデジタル放送装置。
【請求項３】
受信したデジタル放送信号から１つのトランスポートストリームを選択するチューナーと、
選択したトランスポートストリームを復調する復調部と、
復調したトランスポートストリームから映像・音声データを含む放送用データ、電子番組情報、及び高圧縮符号化データを分離する分離化部と、
上記映像・音声データを含む放送用データをデコードするデコード部と、
上記トランスポートストリーム中の高圧縮符号化データをデコードする高圧縮符号化データデコード部と、
上記電子番組情報を処理して電子番組表を表示する電子番組情報制御部を備えたデジタル放送受信装置。
【請求項４】
電子番組情報制御部は、視聴者が電子番組表から番組を選択すると、電子番組情報に含まれる上記番組についての高圧縮データ情報を参照することにより、上記番組のデータの高圧縮符号化データ中での格納位置を取得し、得られた格納位置から上記番組のデータを抽出して再生することを特徴とする請求項３記載のデジタル放送受信装置。
【発明の詳細な説明】
【０００１】
【発明の属する技術分野】
この発明は、デジタル放送装置、及びデジタル放送受信装置に関するものである。
【０００２】
【従来の技術】
近年、ＢＳ（Ｂｒｏａｄｃａｓｔｉｎｇ  Ｓａｔｅｌｌｉｔｅ）デジタル放送が実用化されている。また、地上波デジタル放送についても実用化が進められている。デジタル放送では高画質な映像を実現できる。また、多チャンネルの映像音声サービスの提供が可能であり、さらに付加的なデータを送信することによりさまざまなサービスを提供することも可能である。
【０００３】
デジタル衛星放送の放送局の送信装置は、各放送局の提供する映像・音声サービスやデータサービスのデータをＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）等の符号化方式で符号化し、それらの符号化データを時分割多重してトランスポートストリーム（以下、ＴＳと記す。）を生成する。生成された各局のＴＳは、変調器にて変調され、トランスポンダ（衛星中継器）の数に等しい数のＴＳが多重化されて放送衛星にアップリンクされる。
受信装置は、放送衛星からの信号を受信するとチューナーによって所望のＴＳを選択し、選択されたＴＳは復調器で復調され、各々のデータが分離されてデコードされ再生される。
【０００４】
また、各ＴＳには映像・音声データ等と共に、ＥＰＧ（ＥｌｅｃｔｒｏｎｉｃＰｒｏｇｒａｍ  Ｇｕｉｄｅ）データという全ての局の番組情報データが多重されている。受信装置に備えられたＥＰＧソフトウェアはＥＰＧデータを処理してディスプレイ上に電子番組表を表示する。また、ＥＰＧソフトウェアが電子番組表を表示する際に映像データを表示する機能を持つものである場合には、その時点でチューニングされているＴＳの映像データが表示される。
【０００５】
特許文献１に開示された従来のデジタル衛星放送の送信装置及び受信装置では、送信装置が例えばＣＳ（Ｃｏｍｍｕｎｉｃａｔｉｏｎ  Ｓａｔｅｌｌｉｔｅ）デジタル放送のＴＳにＢＳデジタル放送の番組情報を分割して多重化させることにより、受信装置では、ＣＳデジタル放送の受信を行いながらＢＳデジタル放送の番組情報を蓄積することができる。このため、ＣＳデジタル放送を視聴している時でも、瞬時にＢＳデジタル放送の番組情報を視聴できる。
【０００６】
【特許文献１】
特開２００１−３６８７２号公報
【０００７】
【発明が解決しようとする課題】
上述したように、従来のデジタル衛星放送システムにおいては、映像・音声データは放送局毎にＴＳに多重化されて送信される。受信装置側は、所望のＴＳをチューニングし、映像・音声データを取得する。すなわち、ある映像・音声データを再生するためには、その映像・音声データが多重化されているＴＳにチューニングする必要がある。よって、異なるＴＳに多重化されている複数の映像・音声データを同時に再生するためには、それらの複数ＴＳを同時にチューニングする必要があり、受信装置に複数のチューナーを搭載しなければならない。しかし、複数チューナーを搭載した受信装置は高価であり、一般的には普及していない。
【０００８】
また、電子番組表を表示する際に映像データを表示する機能を持つＥＰＧソフトウェアにおいても、表示する映像はその時点でチューニングされているＴＳの映像データであり、他のＴＳに多重化された番組を電子番組表上で選択しても映像データを表示することはできない。
【０００９】
この発明は上記のような課題を解決するためになされたもので、チューニングを変更することなく、他のトランスポートストリームの映像・音声データの再生を可能とするデジタル放送装置、及びデジタル放送受信装置を得ることを目的とする。
【００１０】
【課題を解決するための手段】
この発明に係るデジタル放送装置は、映像・音声データを含む放送用データを符号化し、符号化データを出力するエンコード部と、デジタル放送受信装置において電子番組表を表示するための電子番組情報を生成する番組情報生成部と、符号化データ及び電子番組情報を多重化してトランスポートストリームを生成する多重化部と、トランスポートストリームを変調する変調部とを備えたデジタル放送装置であって、他のトランスポートストリームで提供される映像・音声データを含む放送用データを符号化データよりも高い圧縮率で圧縮し高圧縮符号化データを出力する高圧縮トランスコード部を備え、多重化部は、高圧縮符号化データをトランスポートストリームに多重化するものである。
【００１１】
この発明に係るデジタル放送受信装置は、受信したデジタル放送信号から１つのトランスポートストリームを選択するチューナーと、選択したトランスポートストリームを復調する復調部と、復調したトランスポートストリームから映像・音声データを含む放送用データ、電子番組情報、及び高圧縮符号化データを分離する分離化部と、映像・音声データを含む放送用データをデコードするデコード部と、トランスポートストリーム中の高圧縮符号化データをデコードする高圧縮符号化データデコード部と、電子番組情報を処理して電子番組表を表示する電子番組情報制御部を備えたものである。
【００１２】
【発明の実施の形態】
以下、この発明の実施の様々な形態を説明する。
実施の形態１．
図１はこの発明の実施の形態１による、デジタル放送システム１００の構成を示すブロック図である。デジタル放送システム１００は、デジタル放送装置１０、受信機２０、衛星５０を備えている。
デジタル放送装置１０から送信されたデジタル放送データは衛星５０で中継され、受信機２０に受信される。受信機２０は実際には複数存在するが、ここでは１つのみ図示している。
【００１３】
デジタル放送装置１０は、エンコーダ１１１〜１１ｎ（ｎは自然数），・・・，１ｍ１〜１ｍｎ（ｍは自然数）、多重化部２１〜２ｍ、ＥＰＧ生成送出装置３１〜３ｍ、変調器４１〜４ｍ、高圧縮トランスコーダ５１〜５ｍ、送信アンテナ６を有する。
デジタル放送においては、１つの放送事業者が複数のサービスを提供するため複数のチャネルを有する場合がある。ここでは、例えばエンコーダ１１１〜１１ｎは１つの事業者のチャネルに対応した複数のエンコーダであり、多重化部２１はエンコーダ１１１〜１１ｎが出力する各チャネルのデータを多重化して１つのＴＳを生成する。同様に、例えば、エンコーダ１ｍ１〜１ｍｎは他の事業者のチャネルに対応した複数のエンコーダである。
図に示すように、多重化部２１にはエンコーダ１１１〜１１ｎ、ＥＰＧ生成送出装置３１、及び高圧縮トランスコーダ５１が接続されている。多重化部２１は変調器４１に接続される。また、高圧縮トランスコーダ５１には、エンコーダ１１１〜１１ｎ以外のエンコーダが接続されている。
なお、エンコーダ１２１〜１２ｎ，・・・，１ｍ１〜１ｍｎ、多重化部２２〜２ｍ、ＥＰＧ生成送出装置３２〜３ｍ、高圧縮トランスコーダ５２〜５ｍ、変調器４２〜４ｍについてもそれぞれ同様の構成となっている。
【００１４】
受信機２０は、受信アンテナ２１、チューナー２２、復調器２３、分離化部２４、デコーダ２５、高圧縮データ用デコーダ２６、ＥＰＧ処理部２７を備える。チューナー２２は復調器２３に接続され、復調器２３は分離化部２４に接続される。分離化部２４は、デコーダ２５、高圧縮データ用デコーダ２６に接続される。また、ＥＰＧ処理部２７は、受信機２０のプロセッサを構成する部分である。
【００１５】
次に、実施の形態１による、デジタル放送システム１００の動作について説明する。
まず、デジタル放送装置１０における、デジタル放送データの送信処理について説明する。
ここでは、多重化部２１から出力されるＴＳの生成を例にとって説明する。多重化部２２〜２ｍについても、同様の処理が行われる。
エンコーダ１１１〜１１ｎは、映像・音声等のデータの入力を受けると、例えば、ＭＰＥＧ２（Ｍｏｖｉｎｇ  Ｐｉｃｔｕｒｅ  Ｅｘｐｅｒｔｓ  Ｇｒｏｕｐｐｈａｓｅ  ２）等の符号化方式でエンコードする。
エンコードされたデータは多重化部２１に出力される。
【００１６】
ＥＰＧ生成送出装置３１は、受信機２０において電子番組表を表示するためのＥＰＧデータを生成する。ＥＰＧデータには、多重化部２１〜２ｍから出力される全てのストリームによって提供される番組の情報が含まれる。ＥＰＧ生成送出装置３１〜３ｍは生成したＥＰＧデータを多重化部２１に出力する。
【００１７】
高圧縮トランスコーダ５１には、エンコーダ１２１〜１２ｎ，・・・，１ｍ１〜１ｍｎにおいて符号化された他ＴＳの映像・音声等のデータが供給される。高圧縮トランスコーダ５１は、これらの符号化データを例えばＭＰＥＧ４などの符号化形式により高い圧縮率で圧縮し、多重化部２１に出力する。
【００１８】
多重化部２１では、エンコーダ１１１〜１１ｎから出力される映像・音声等の符号化データ、ＥＰＧ生成送出装置３１から出力されるＥＰＧデータ、及び高圧縮トランスコーダ５１から供給される高圧縮符号化データを多重化し、ＴＳ１を生成する。
【００１９】
図２に、実施の形態１によるＴＳの構成を示す。図に示すように、ＴＳ１〜ＴＳｍまでのパケット（以下、ＴＳパケットという）単位で時分割多重され、各ＴＳパケットの伝送帯域には、ＥＰＧデータ３０、映像・音声データ３１、高圧縮された他ＴＳの映像・音声データ３２が多重化されている。ＥＰＧデータ３０には、例えば、各番組の識別番号（ｅｖｅｎｔ＿ｉｄ）、番組のタイトル、放送時間の組み合わせが番組数だけ含まれている。
ＭＰＥＧ２形式を用いてエンコードを行うシステムでは、各ＴＳパケットは１８８バイト長のパケットである。
【００２０】
多重化部２１〜２ｍによってそれぞれ生成されたＴＳ１〜ＴＳｍは、それぞれ変調器４１〜４ｍに出力されて変調される。そして、トランスポンダ（衛星中継器）の数に等しいｍ個の変調されたＴＳ１〜ＴＳｍが送信アンテナ６を介して同時に衛星５０へアップリンクされる。
【００２１】
次に、受信機２０によるデジタル放送データの受信処理について説明する。
衛星５０からの信号は、受信アンテナ２１で受信され、チューナー２２で所望のＴＳが選択される。ここでは、例としてＴＳ１が選択されるとする。ＴＳ１の信号は復調器２３で復調され、復調された信号は分離化部２４に出力される。分離化部２４ではＴＳ１のデータが分離される。分離されたデータのうち、映像・音声データ３１はデコーダ２５へ出力される。また、ＥＰＧデータ３０はＥＰＧ処理部２７へ出力され、他ＴＳの映像・音声データ３２は高圧縮データ用デコーダ２６へ出力される。
【００２２】
デコーダ２５は、圧縮された映像・音声データ３１をデコードし、映像・音声データを出力する。また、高圧縮データ用デコーダ２６は、高圧縮された他ＴＳの映像・音声データ３２をデコードし、他ＴＳの映像・音声データを出力する。また、ＥＰＧ処理部２７は、ＥＰＧデータ３０を処理し、ディスプレイ上に電子番組表を表示する。
【００２３】
以上のように、この実施の形態１によれば、高圧縮トランスコーダによって他のＴＳの映像・音声データを高圧縮し、ＴＳ上に多重化するようにしたので、チューニングを変えることなく他のＴＳのデータを同時に配信することができるという効果が得られる。
【００２４】
実施の形態２．
実施の形態２によるデジタル放送システムの構成は実施の形態１と同様であるが、多重化部２１〜２ｍにおいて生成されるＴＳの構成が異なる。
【００２５】
図３は、この発明の実施の形態２によるＴＳの構成を示す図である。実施の形態２では、各ＴＳパケットのＥＰＧデータ３０に、高圧縮データ情報３０１が付加されている。高圧縮データ情報３０１には、他ＴＳの番組についてそれぞれどのＴＳに含まれる番組であるかを示す情報が含まれている。
【００２６】
受信機に備えられたＥＰＧ処理部のなかには、電子番組表を表示する際に番組の映像データを表示するものがある。
図４は受信機２０のディスプレイやモニター（図示せず）上に表示される電子番組表の一例を示す図である。視聴者は、受信機付属のリモコン等を用いて、画面上に表示された番組のいずれかを、選択番号を指定することにより選択する。選択番号が指定されると、映像表示窓４１には指定された番組の映像が表示される。従来では、映像表示窓４１には現時点でチューニングされているＴＳの番組の映像しか表示することができなかったが、実施の形態２では、任意のＴＳ番組の映像を表示することができる。
【００２７】
図５は、実施の形態２による電子番組表表示処理のフローチャートである。
ステップＳＴ１で、視聴者が選択番号を指定することにより電子番組表上で番組が選択される。次にステップＳＴ２で、選択された番組が含まれるＴＳを判別する。ＴＳの判別は、ＴＳ中のＥＰＧデータ３０に含まれる高圧縮データ情報３０１に基づいて行う。
判定の結果、現在チューニングされているＴＳの場合はステップＳＴ３へ、他のＴＳの場合はステップＳＴ４へ進む。ステップＳＴ３では、現在チューニングされているＴＳの映像・音声データ３１を取り込みデコーダ２５でデコードする。ステップＳＴ４では、他ＴＳの映像・音声データ３２を取り込み、高圧縮データ用デコーダ２６でデコードする。ステップＳＴ５では、ステップＳＴ３及びステップＳＴ４でデコードされた映像データを映像表示窓４１へ表示する。音声データについては、出力しない場合と映像データと同期させて出力する場合がある。なお、選択番号が現在チューニングされているＴＳの番組ならばＭＰＥＧ２の通常のレートの画像が、他ＴＳの番組ならばＭＰＥＧ４などの低レートの画像が表示される。
【００２８】
【発明の効果】
以上のように、この発明によれば、デジタル放送配信の際に、他のＴＳのデータをＭＰＥＧ４などにより低レートの情報に圧縮し、自局のＴＳに付加して配信することで、受信機側ではＴＳのチューニングを変更せずに、他のＴＳの映像・音声データの視聴が可能になるという効果がある。
【図面の簡単な説明】
【図１】この発明の実施の形態１による、デジタル放送システムの構成を示すブロック図である。
【図２】この発明の実施の形態１による、ＴＳの構成を示す図である。
【図３】この発明の実施の形態２による、ＴＳの構成を示す図である。
【図４】この発明の実施の形態２による、受信機のディスプレイ上に表示される電子番組表の例を示す図である。
【図５】この発明の実施の形態２による、電子番組表表示処理のフローチャートである。
【符号の説明】
１１１〜１１ｎ，・・・，１ｍ１〜１ｍｎ  エンコーダ、２１〜２ｍ  多重化部、３１〜３ｍ  ＥＰＧ生成送出装置、４１〜４ｍ  変調器、５１〜５ｍ  高圧縮トランスコーダ、６  送信アンテナ、１０  デジタル放送装置、２０  受信機、２１  受信アンテナ、２２  チューナー、２３  復調器、２４  分離化部、２５  デコーダ、２６  高圧縮データ用デコーダ、２７  ＥＰＧ処理部、５０  衛星、１００  デジタル放送システム。
【図１】
2005012552.tif 000003
【図２】
2005012552.tif 000004
【図３】
2005012552.tif 000005
【図４】
2005012552.tif 000006
【図５】
2005012552.tif 000007